(57)【要約】      （修正有）【課題】海浜地区の建築工事および土木工事に際し、鉄筋コンクリート工事に使用される鉄筋鋼棒の錆止を目的とする粗素地塗装を行うための自走式構造塗装器を提供する。【解決手段】一対のレールを走行するための自走用モーターと、前記１対のレールに平行に配置された鉄筋鋼棒１０に粗素地塗装剤１１を塗布するための塗布ノズル部５０とを設けて自走式鉄筋鋼棒粗素地塗装機器を構成する。前記塗布ノズル部は、二枚の鉄板の間隔を一端が狭く、他端が広くなるように、前記二枚の鉄板を接合して形成する。【選択図】図２
0003183038.tif 000002
【実用新案登録請求の範囲】
【請求項１】
建築工事ならびに土木工事用鉄筋鋼棒の錆止を目的とする、粗素地塗装工程において、１対のレール上を自走し鉄筋鋼棒全体の塗装を実施する塗装機器であり、粗素地塗装剤を循環使用しながら、複数直棒鉄筋の鋼棒外周面の塗装ができることを特徴とする鉄筋鋼棒粗素地塗装機器。
【請求項２】
請求項１の鉄筋鋼棒粗素地塗装機器は、鉄筋鋼棒へ粗素地塗装剤を均一に塗布するため、塗布ノズル部は、二枚の鉄板を楔状に重接合し、狭小接合部位の隙間を塗装剤が排出される塗布ノズル部を特徴とする鉄筋鋼棒粗素地塗装機器。
【考案の詳細な説明】
【技術分野】
【０００１】本考案は、建築工事ならびに土木工事における鉄筋コンクリート工事の、鉄筋鋼棒の粗素地塗装に関する考案で、鉄筋コンクリートの補強材料である鉄筋鋼棒の耐腐食を目的とする、粗素地塗装機器に関するものである。
【背景技術】
【０００２】従来、鉄筋鋼棒の耐腐食を目的とする粗素地塗装としては、通称「ドブ漬」という手法であり、大量の塗料剤の中に鉄筋鋼棒を浸すのみであった。海浜地区の建築工事および土木工事に際し、鉄筋コンクリート工事に使用される鉄筋鋼棒の錆止を目的とする粗素地塗装は必須要件となっている。
【考案の開示】
【考案が解決しようとする課題】
【０００３】鉄筋鋼棒の耐腐食を目的とする粗素地塗装作業における、前述の課題を解決するため、工事現場における鉄筋の組み立て時に、鉄筋粗組後に粗素地塗装を行うなど試行したが、いずれも粗素地塗装剤の塗布状態が悪く品質も不安定であり欠点がある。【０００４】すなわち、古典的ではあるが粗素地塗装の「ドブ漬」方式が行われているが、大量の塗料剤の使用は、揮発性の高い性状のため、作業者の呼吸器系へ大きな障害が懸念され、安全性に疑問をもつものであった。
【課題を解決するための手段】
【０００５】前記課題を解決するため、本考案に係る自走式鉄筋鋼棒粗素地塗装機器は、構造を簡素化するとともに、自走式により塗料剤を循環使用することにより、塗料剤の使用量を削減し、作業者への呼吸器系の負担軽減を目指すとともに、確実で経済的な鉄筋鋼棒粗素地塗装を実現できた。
【考案の効果】
【０００６】本考案によると、自走式鉄筋鋼棒粗素地塗装機器は、構造の簡素化により工事現場での組み立ておよび維持管理が容易となり、作業者においては、従来の「ドブ漬」塗装方式と比較し、塗料剤の減量、塗料剤から揮発性物質による作業員の身体的負担を軽減するとともに、確実で安全な鉄筋鋼棒粗素地塗装の作業を実施でき効率化が図れた。
【考案を実施するための最良の形態】
【実施例】
【０００７】以下、本考案の実施形態につき図を参照して説明する。図１には、本考案に係る自走式鉄筋鋼棒粗素地塗装機器全体斜視図が記されているが、自走式鉄筋鋼棒粗素地塗装機器Ａは、粗素地塗装用塗料容器Ｙと粗素地塗装用塗料築養パンＸ、粗素地塗装用塗料塗布ノズル部収納ケース４０、塗料循環用並びに自走用のモーター２０を基本とする自走構造である。【０００８】また、図１の自走式鉄筋鋼棒粗素地塗装機器Ａは、簡易的に組立てることができる１対のレール２を走行しながら、鉄筋鋼棒１０に粗素地塗装を施すものである。【０００９】図２では、本考案、自走式鉄筋鋼棒粗素地塗装機器Ａにおける、粗素地塗装用塗料塗布ノズル部収納ケース４０の内部構造を示すものであり、粗素地塗装用塗料循環用パイプ３０が粗素地塗装用塗料塗布ノズル部５０に塗料１１を供給することで、鉄筋鋼棒１０に粗素地塗装を可能とする構造を斜視図で表したものである。【００１０】また、粗素地塗装用塗料塗布ノズル部５０は、二枚の金属板を楔状に重接合し、狭小側部の隙間から塗料１１を鉄筋鋼棒１０に塗布する構造を示すものです。
【産業上の利用可能性】
【００１１】本考案における、自走式鉄筋鋼棒粗素地塗装機器Ａは、構造を簡素化し重量を軽減し、維持管理を必要としない構造化を図ったことにより、どのような現場にも自走式構造体を構築し、鉄筋鋼棒粗素地塗装を実施できることとなり、大規模な鉄筋鋼棒粗素地塗装プールの構築を要しないものになり、粗素地塗料の減量により安価なコストで鉄筋の粗素地処理を可能とし、しかも、鉄筋鋼棒粗素地塗装作業に従事する作業員を揮発性塗料から刺激臭から健康面に配慮した自走式鉄筋鋼棒粗素地塗装機器とすることができた。
【図面の簡単な説明】
【００１２】
【図１】自走式鉄筋鋼棒粗素地塗装機器の斜視図
【図２】自走式鉄筋鋼棒粗素地塗装機器の塗料塗布ノズル部の状態を示す斜視図
【符号の説明】
【００１３】Ａ  本考案、自走式鉄筋鋼棒粗素地塗装機器
Ｘ  粗素地塗装用塗料築養パン
Ｙ  粗素地塗装用塗料容器
Ｚ  自走式鉄筋鋼棒粗素地塗装機器用レール
１０  鉄筋鋼棒
１１  粗素地塗装用塗料
２０  粗素地塗装用塗料循環用並びに自走用のモーター
３０  粗素地塗装用塗料循環用パイプ
４０  粗素地塗装用塗料塗布ノズル部収納ケース
５０  粗素地塗装用塗料塗布ノズル部
【図１】
0003183038.tif 000003
【図２】
0003183038.tif 000004
【手続補正書】
【提出日】平成24年11月30日(2012.11.30)
【手続補正１】
【補正対象書類名】実用新案登録請求の範囲
【補正対象項目名】請求項１
【補正方法】変更
【補正の内容】
【請求項１】
自走用のモーターを有する鉄筋鋼棒粗素地塗装機器であり、自走用モーターは粗素地塗装剤を塗装ノズル部へ循環供給することも併せて行い、鉄筋鋼棒を並列に並べた上を本考案塗装機器が移動し鉄筋鋼棒素地下塗剤の均一塗布を特徴とする自走式構造塗装機器である。
【手続補正２】
【補正対象書類名】実用新案登録請求の範囲
【補正対象項目名】請求項２
【補正方法】変更
【補正の内容】
【請求項２】
請求項１の自走式鉄筋鋼棒粗素地塗装機器において、鉄筋鋼棒へ粗素地塗装剤を均一に塗布するため、塗装ノズル部は、二枚の鉄板を楔状に重ね合わせ、その側面は塗装剤が漏れない構造とした四角錐の形状を有し、狭小側部位を逆さまにして塗布ノズル部とし、塗布ノズル部から粗素地塗装剤を落下させる方式とすることを特徴とするものである。
【手続補正書】
【提出日】平成25年2月1日(2013.2.1)
【手続補正１】
【補正対象書類名】実用新案登録請求の範囲
【補正対象項目名】全文
【補正方法】変更
【補正の内容】
【実用新案登録請求の範囲】
【請求項１】
一対のレールを走行するための自走用モーターと、前記１対ノレールに平行に配置された鉄筋鋼棒に粗素地塗装剤を塗布するための塗布ノズル部とを有することを特徴とする自走式鉄筋鋼棒粗素地塗装機器。
【請求項２】
前記塗布ノズル部は、二枚の鉄板の間隔を一端が狭く、他端が広くなるように、前記二枚の鉄板を接合したことを特徴とする請求項１に記載の自走式鉄筋鋼棒粗素地塗装機器。